(57)【要約】【課題】各下位ネットワーク・エレメント間の同期を保持し、システムの性能を安定化させる同期処理方法および装置を提供する。【解決手段】同期処理方法は、所定のネットワーク・エレメントが、その上位ネットワーク・エレメントにより送信されたＭＢＭＳサービスの、データ・パケットにタイム・スタンプ情報が付けられた複数のデータ・バーストを受信するステップと、所定のネットワーク・エレメントが、タイム・スタンプ情報が現在利用可能な送信時間の前にある場合の複数のデータ・バーストに属するデータ・パケットを、現在利用可能な送信時間の開始時刻から順次送信するステップと、を含む。【選択図】図２
2012503375.tif 000002
【特許請求の範囲】
【請求項１】
所定のネットワーク・エレメントが、その上位のネットワーク・エレメントにより送信されたＭＢＭＳサービスの、データ・パケットにタイム・スタンプ情報が付けられた複数のデータ・バーストを受信するステップと、
前記所定のネットワーク・エレメントが、前記タイム・スタンプ情報が現在利用可能な送信時間の前にある場合の複数のデータ・バーストに属するデータ・パケットを、前記現在利用可能な送信時間の開始時刻から順次送信するステップと、
を含むことを特徴とする同期処理方法。
【請求項２】
前記所定のネットワーク・エレメントが、異なるデータ・バーストに属するデータ・パケットをタイム・スタンプ順にＲＬＣカスケード接続することを特徴とする請求項１に記載の同期処理方法。
【請求項３】
前記所定のネットワーク・エレメントが、同一データ・バーストに属するデータ・パケットについてＲＬＣカスケード接続処理を行い、異なるデータ・バーストに属するＲＬＣ処理されたデータ・パケットを、同一のＴＴＩに送信することを特徴とする請求項１に記載の同期処理方法。
【請求項４】
前記所定のネットワーク・エレメントは、同一データ・バーストに属するデータ・パケットについてＲＬＣカスケード接続処理を行い、異なるデータ・バーストに属するＲＬＣカスケード接続されたデータ・パケットを、異なるＴＴＩに送信することを特徴とする請求項１に記載の同期処理方法。
【請求項５】
前記所定のネットワーク・エレメントが前記複数のデータ・バーストに属するデータ・パケットを前記現在利用可能な送信時間の開始時刻から順次送信するステップは、具体的に、
前の利用可能な送信時間内に送信されていないデータ・バーストを現在利用可能な送信時間に送信すること、或いは
前の利用可能な送信時間内に送信されていないデータ・バーストを現在利用可能な送信時間に送信しないことである
ことを特徴とする請求項１から４のいずれかに記載の同期処理方法。
【請求項６】
前記現在利用可能な送信時間は、データ・パケットを送信するための次の無線インターフェース・リソースの期間であることを特徴とする請求項１から４のいずれかに記載の同期処理方法。
【請求項７】
前記データ・バーストは、同じタイム・スタンプ情報が付与された１組のデータ・パケットであることを特徴とする請求項１から４のいずれかに記載の同期処理方法。
【請求項８】
所定のネットワーク・エレメント側に位置する同期処理装置であって、
上位ネットワーク・エレメントにより送信されたＭＢＭＳサービスの、データ・パケットにタイム・スタンプ情報が付けられた複数のデータ・バーストを受信する受信モジュールと、
前記タイム・スタンプ情報が現在利用可能な送信時間の前にある場合の複数のデータ・バーストに属するデータ・パケットを、前記現在利用可能な送信時間の開始時刻から順次送信する処理モジュールと、
を備えることを特徴とする同期処理装置。
【請求項９】
前記処理モジュールは、
異なるデータ・バーストに属するデータ・パケットをタイム・スタンプ順にＲＬＣカスケード接続する第１の処理モジュールと、
同一データ・バーストに属するデータ・パケットをそれぞれＲＬＣカスケード接続し、異なるデータ・バーストに属するＲＬＣ処理されたデータ・パケットを同一のＴＴＩに送信する第２の処理モジュールと、
同一データ・バーストに属するデータ・パケットをそれぞれＲＬＣカスケード接続し、異なるデータ・バーストに属するＲＬＣカスケード接続されたデータ・パケットを異なるＴＴＩに送信する第３の処理モジュールと、
を含むことを特徴とする請求項８に記載の同期処理装置。
【請求項１０】
前記処理モジュールは、さらに、前の利用可能な送信時間内に送信されていないデータ・バーストを現在利用可能な送信時間に送信したり、前の利用可能な送信時間に送信されていないデータ・バーストを現在利用可能な送信時間に送信しなかったりすることを特徴とする請求項７に記載の同期処理装置。
【請求項１１】
前記現在利用可能な送信時間は、データ・パケットを送信するための次の無線インターフェース・リソースの期間であることを特徴とする請求項８から１０のいずれかに記載の同期処理装置。
【請求項１２】
前記データ・バーストは、同じタイム・スタンプ情報が付与された１組のデータ・パケットであることを特徴とする請求項８から１０のいずれかに記載の同期処理装置。
【発明の詳細な説明】
【技術分野】
【０００１】
本発明は、通信分野に関し、特に同期処理方法および装置に関する。
【背景技術】
【０００２】
インターネットの発展に伴い、マルチメディア・サービスがたくさん生まれてきている。人々の移動体通信に対するニーズは、電話とメッセージ・サービスだけではもう満足できなくなっている。現在、マルチメディア・サービスには、例えばビデオ・オン・デマンド・サービス、テレビ放送、テレビ会議、オンライン教育、対話型ゲームなど、複数のユーザが同時に同じデータを受信できるという特徴を有するアプリケーション・サービスが導入されている。
【０００３】
モバイル・ネットワーク・リソースを活用するために、１つのデータ・ソースが複数のユーザにデータを送信するポイント・ツー・マルチポイント・サービス（Ｐｏｉｎｔ  Ｔｏ  Ｍｕｌｔｉｐｏｉｎｔ  Ｓｅｒｖｉｃｅ）であるマルチメディア放送マルチキャスト・サービス（Ｍｕｌｔｉｍｅｄｉａ  Ｂｒｏａｄｃａｓｔ  Ｍｕｌｔｉｃａｓｔ  Ｓｅｒｖｉｃｅ、以下、単に「ＭＢＭＳ」という。）が提案されている。このサービスにより、移動体コア・ネットワークとアクセス・ネットワークとのリソースの共有、特にエア・インターフェース・リソースの共有を含むネットワーク・リソースの共有が可能であり、３ＧＰＰのＭＢＭＳにより、プレーン・テキストでありスピードが低いメッセージ類のマルチキャストや放送だけでなく、スピードの高いマルチメディア・サービスのマルチキャストや放送も実現可能である。
【０００４】
ＭＢＭＳサービスは、ネットワーク全体向けのサービスであるため、同一のＭＢＭＳサービスは、異なる下位ネットワーク・エレメント・ノード（Ｎｅｔｗｏｒｋ  Ｅｌｅｍｅｎｔ  Ｎｏｄｅ）に構築される可能性がある。図１は、従来の複数のネットワーク・エレメントのＭＢＭＳサービス同期処理方法の流れ図である。この方法は、ステップＳ１０２と、ステップ１０４と、ステップＳ１０６とを含む。
【０００５】
ステップＳ１０２において、上位ネットワーク・エレメントは、サービス・データを保持しタイム・スタンプ情報、データ・パケットのシリアル番号情報、積算したサービス・データの長さ情報などを有するＭＢＭＳサービス・データ・パケットを、各下位ネットワーク・エレメントに送信する。上位ネットワーク・エレメントは、１または複数の連続するサービス・データ・パケットに同一のタイム・スタンプ情報を付け、これら同一のタイム・スタンプが付けられたデータ・パケットは、１つのデータ・バースト（ｄａｔａ  ｂｕｒｓｔ）を構成する、或いは同期シーケンス（ｓｙｎｃｈｒｏｎｉｚａｔｉｏｎ  Ｓｅｑｕｅｎｃｅ）と言われる。
【０００６】
ステップＳ１０４において、下位ネットワーク・エレメントは、同一データ・バーストのサービス・データ・パケットに含まれるサービス・データについてＲＬＣ（Ｒａｄｉｏ  Ｌｉｎｋ  Ｃｏｎｔｒｏｌ、無線リンク制御）プロトコル層のカスケード接続処理を行う必要がある。
【０００７】
ステップＳ１０６において、下位ネットワーク・エレメントは、同一データ・バーストのサービス・データ・パケットに備えたサービスを、その付与されたタイム・スタンプにより指示された時刻から、無線インターフェースで順次送信する。上位ネットワーク・エレメントから各下位ネットワーク・エレメントに送信された上記情報が全く一致しているため、各下位ネットワーク・エレメントは、全く同一の処理を行うことができる。これにより、各下位ネットワーク・エレメントのセル間でのＭＢＭＳサービスの同期送信が実現される。
【０００８】
従来、各データ・パケットのタイム・スタンプ情報は、上位ネットワーク・エレメントでサービス・データ・パケットの受信時刻に基づいてタイム・スタンプを付与し、同期シーケンス長（ｓｙｎｃｈｒｏｎｉｚａｔｉｏｎ  ｓｅｑｕｅｎｃｅ  ｌｅｎｇｔｈ）と言われるある特定長の時間間隔内に受信したサービス・データ・パケットに同一のタイム・スタンプを付与する第１の方式と、上位ネットワーク・エレメントが下位ネットワーク・エレメントによるＲＬＣプロトコル層の処理を仮想化し、ＲＬＣ処理の仮想化結果に基づいて、ＲＬＣカスケード接続処理を行うべきサービス・データ・パケットに同一のタイム・スタンプを付与する第２の方式とのいずれかにより設定することができる。
【０００９】
タイム・スタンプの設定がサービス・データ・パケットの上位ネットワーク・エレメントに到達した時間に依存することが分かるため、サービス・データ・パケットのタイム・スタンプ間隔は、いずれも確定不能である。
【００１０】
１つのＭＢＭＳサービスは、時分割多重化（Ｔｉｍｅ  Ｄｉｖｉｓｉｏｎ  Ｍｕｌｔｉｐｌｅｘ、以下、単に「ＴＤＭ」という。）を用いて無線インターフェース・チャネルにより無線インターフェースで送信することができる。ＴＤＭ方式は、ＴＤＭ周期と、ＴＤＭオフセットと、ＴＤＭ重複長とのパラメータを含む。具体的には、１つのＭＢＭＳサービスは、その割り当てられたＴＤＭ周期において、「ＴＤＭオフセット」番目のＴＴＩからのＴＤＭ重複長の数の連続する送信時間間隔（ＴＴＩ）内に送信される。ここで、ＴＤＭ重複周期は、最大９、ＭＢＭＳサービスが利用可能なＴＴＩの長さは、４０又は８０ｍｓである。
【００１１】
ＴＤＭ方式によりデータを送信する際、１つのＭＢＭＳサービスが無線インターフェースで送信される時間が連続しないため、タイム・スタンプ情報は、無線インターフェースが当該ＭＢＭＳサービスを送信可能な開始時間に直接対応させるわけにはいかない。また、隣り合うタイム・スタンプの間隔が異なるため、複数のタイム・スタンプの間隔は、無線インターフェースが利用可能な送信時間の間隔よりも短いことがある。すなわち、複数のデータ・バーストの異なるタイム・スタンプ情報が前の利用可能な送信時間および次の利用可能な送信時間内にあることがある。この結果、同一の上位ネットワーク・エレメントに属する下位ネットワーク・エレメントは、同じデータ・バーストの同期処理を行うことができない。
【発明の概要】
【発明が解決しようとする課題】
【００１２】
本発明は、同一の上位ネットワーク・エレメントに属する下位ネットワーク・エレメントが同じデータ・バーストの同期処理を行うことができないといった関連技術の問題点に鑑みてなされたものであり、この問題点を解決するために改良した同期処理方式を提供することを主な目的とする。
【課題を解決するための手段】
【００１３】
上記の目的を達成するために、本発明の１態様によれば、同期処理方法が提供される。
【００１４】
本発明に係る同期処理方法は、所定のネットワーク・エレメントが、その上位ネットワーク・エレメントにより送信されたＭＢＭＳサービスの、データ・パケットにタイム・スタンプ情報が付けられた複数のデータ・バーストを受信するステップと、所定のネットワーク・エレメントが、タイム・スタンプ情報が現在利用可能な送信時間の前にある場合の複数のデータ・バーストに属するデータ・パケットを、現在利用可能な送信時間の開始時刻から順次送信するステップと、を含む。
【００１５】
本発明の他の態様によれば、同期処理装置が提供される。
【００１６】
本発明に係る同期処理装置は、上位ネットワーク・エレメントにより送信されたＭＢＭＳサービスの、データ・パケットにタイム・スタンプ情報が付けられた複数のデータ・バーストを受信する受信モジュールと、タイム・スタンプ情報が現在利用可能な送信時間の前にある場合の複数のデータ・バーストに属するデータ・パケットを、現在利用可能な送信時間の開始時刻から順次送信する処理モジュールと、を備える。
【発明の効果】
【００１７】
本発明の上述した少なくとも１つの技術案によれば、タイム・スタンプ情報が現在利用可能な送信時間の前にある複数のデータ・バーストを、所定の時間に送信することで、各下位ネットワーク・エレメント間の同期を保持することができ、システムの性能が安定化される。
【００１８】
図面は、本発明を更に理解するためのものであり、明細書の一部を構成する。また、本発明の実施例と共に本発明を解釈（説明）するもので、本発明を限定するものではない。
【図面の簡単な説明】
【００１９】
【図１】図１は、関連技術に係る複数のネットワーク・エレメントのＭＢＭＳサービス同期処理方法の流れ図である。
【図２】図２は、本発明の実施例に係る同期処理方法の流れ図である。
【図３】図３は、本発明に係る上位ネットワーク・エレメントおよび下位ネットワーク・エレメントの論理構成ブロック図である。
【図４】図４は、本発明の実施例１に係る同期処理方法を示す図である。
【図５】図５は、本発明の実施例２に係る同期処理方法を示す図である。
【図６】図６は、本発明の実施例に係る同期処理装置の構成ブロック図である。
【図７】図７は、本発明の実施例に係る同期処理装置の詳細構成ブロック図である。
【発明を実施するための形態】
【００２０】
（機能概略）
上述したように、従来、ＴＤＭ方式によりデータを送信する際、複数のタイム・スタンプの間隔が、無線インターフェースが利用可能な送信時間の間隔よりも短いことがある。すなわち、複数のデータ・バーストの異なるタイム・スタンプ情報が前の利用可能な送信時間および次の利用可能な送信時間内にあり、同一の上位ネットワーク・エレメントに属する下位ネットワーク・エレメントが同じデータ・バーストの同期処理を行うことができない問題が生じる。本発明は、この問題に対応して、タイム・スタンプ情報が現在利用可能な送信時間の前にある複数のデータ・バーストにおけるデータ・パケットを、所定の時間内に送信することにより、各下位ネットワーク・エレメントの同期を保持する同期処理方式を提供する。
【００２１】
以下、図面を参照しながら本発明について詳細に説明する。なお、本出願の実施例および実施例における特徴は、相容しなくないのであれば、お互いに組み合わせが可能である。
【００２２】
（方法実施例）
本発明の実施例によれば、同期処理方法が提供される。
【００２３】
図２は、本発明の実施例に係る同期処理方法の流れ図である。当該方法は、図２に示すように、ステップＳ２０２とステップＳ２０４とを含む。
【００２４】
ステップＳ２０２において、所定のネットワーク・エレメントは、その上位ネットワーク・エレメントにより送信されたＭＢＭＳサービスの複数のデータ・バーストを受信する。ここで、データ・バーストは、同じタイム・スタンプ情報が付与された１又は複数のデータ・パケットを含む。
【００２５】
ステップＳ２０４において、所定のネットワーク・エレメントは、タイム・スタンプ情報が現在利用可能な送信時間の前にある場合の複数のデータ・バーストに属するデータ・パケットを、現在利用可能な送信時間の開始時刻から順次送信する。
【００２６】
本発明の実施例に係る技術案によれば、タイム・スタンプ情報が現在利用可能な送信時間の前にある複数のデータ・バーストを、所定の時間に送信することで、各下位ネットワーク・エレメント間の同期を保持することができ、システムの性能が向上する。
【００２７】
ステップＳ２０４において、所定のネットワーク・エレメントは、次の３つの方式により２つの送信時刻のうちの後の送信時刻から複数のデータ・バーストに属するデータ・パケットを送信する。
【００２８】
第１の方式では、所定のネットワーク・エレメントが、異なるデータ・バーストに属するデータ・パケットを、タイム・スタンプ順にＲＬＣカスケード接続して送信する。
【００２９】
第２の方式では、所定のネットワーク・エレメントが、同一データ・バーストに属するデータ・パケットをＲＬＣカスケード接続し、異なるデータ・バーストに属するＲＬＣ処理された複数のデータ・パケットを同一のＴＴＩに送信できる。
【００３０】
第３の方式では、所定のネットワーク・エレメントが、同一データ・バーストに属するデータ・パケットをＲＬＣカスケード接続し、異なるデータ・バーストに属するＲＬＣ処理された複数のデータ・パケットをそれぞれ異なるＴＴＩに送信する。
【００３１】
ここで、利用可能な送信時間は、データ・パケットを送信する期間（ｔｉｍｅ  ｐｅｒｉｏｄ）であり、例えばＴＤＭ方式によりデータ・パケットを送信する際に、当該利用可能な送信時間は、データ・パケットを送信する時間リソースであってもよい。
【００３２】
現在利用可能な送信時間は、ＭＢＭＳサービスを送信するための次の無線インターフェース時間リソースである。
【００３３】
図３は、上位ネットワーク・エレメントおよび下位ネットワーク・エレメントの論理構成ブロック図である。同図からわかるように、１つの上位ネットワーク・エレメントは、複数の下位ネットワーク・エレメントと接続され、シグナリングのやり取りを行う。なお、上位ネットワーク・エレメントとこの上位ネットワーク・エレメントに属する１又は複数の下位ネットワーク・エレメント（すなわち、上述した「所定のネットワーク・エレメント」）とは、物理的機能において同じネットワーク・エレメントであってもよく、異なるネットワーク・エレメントであってもよい。上位ネットワーク・エレメントと下位ネットワーク・エレメントに分けるのは、論理的な区分に過ぎず、協同してサービス同期機能を達成するためである。すなわち、幾つかの同じ又は異なる物理的ネットワーク・エレメントは、論理的な機能により１つの上位ネットワーク・エレメントと幾つかの下位ネットワーク・エレメントとに分けられ、これらのネットワーク・エレメントは、互いに協同して、下位ネットワーク・エレメントのセル間で、複数のセルが組み合わせられる方式で送信されるＭＢＭＳサービスを実現する。
【００３４】
上位ネットワーク・エレメントと下位ネットワーク・エレメントは、以下の組み合わせ方式であってもよいが、これらに限定されない。
【００３５】
第１の組み合わせとしては、汎用地上無線アクセス・ネットワーク（ＵＴＲＡＮ）システムのＭＢＭＳサービス同期ネットワークにおいて、上位ネットワーク・エレメントは、上位無線ネットワーク・コントローラ（Ｒａｉｄｏ  Ｎｅｔｗｏｒｋ  Ｃｏｎｔｒｏｌｌｅｒ、以下、単に「ＲＮＣ」という。）であり、下位ネットワーク・エレメントは、下位ＲＮＣであり、上位ネットワーク・エレメントと下位ネットワーク・エレメントとのインターフェースは、Ｉｕｒインターフェースである。当該組み合わせにおいて、上位ネットワーク・エレメントと下位ネットワーク・エレメントは、物理的機能の同じネットワーク・エレメントである。
【００３６】
第２の組み合わせとしては、ＨＳＰＡ＋（Ｈｉｇｈ  Ｓｐｅｅｄ  Ｐａｃｋｅｔ  Ａｃｃｅｓｓ  Ｐｌｕｓ）システムのＭＢＭＳサービス同期ネットワークにおいて、上位ネットワーク・エレメントは、マスタ無線ネットワーク・コントローラ（ＲＮＣ）またはマスタ・ノード＋（ｍａｓｔｅｒ  ＮｏｄｅＢ＋、即ちｍａｓｔｅｒ  ＮＢ＋）であり、下位ネットワーク・エレメントは、スレーブノード＋（ｓｌａｖｅ  ＮｏｄｅＢ＋、即ちｓｌａｖｅ  ＮＢ＋）であり、下位ネットワーク・エレメントと上位ネットワーク・エレメントとのインターフェースは、Ｉｕｒインターフェースである。この組み合わせにおいて、上位ネットワーク・エレメントと下位ネットワーク・エレメントは、物理的機能が同じで論理的機能が異なるネットワーク・エレメントである。
【００３７】
第３の組み合わせとしては、ＬＴＥ（Ｌｏｎｇ−Ｔｅｒｍ  Ｅｖｏｌｕｔｉｏｎ）システムのＭＢＭＳサービス同期ネットワークにおいて、上位ネットワーク・エレメントは、ＭＧＷ（ＭＢＭＳ  ｇａｔｅｗａｙ）またはＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ）であり、下位ネットワーク・エレメントは、発展型ノードＢ（Ｅ−ＵＴＲＡＮ  ＮｏｄｅＢ）であり、上位ネットワーク・エレメントと下位ネットワーク・エレメントとのインターフェースは、Ｍ２インターフェースである。
【００３８】
（実施例１）
ＭＢＭＳサービスは、無線インターフェースにて非連続的に送信され、一定の時間間隔ごとに、利用可能な無線インターフェースの送信時間が配置されている。
【００３９】
図４は、本発明の実施例１に係る同期処理方法を示す図である。図４に示すように、下位ネットワーク・エレメントは、タイム・スタンプ情報が異なりそれぞれのタイム・スタンプ情報が次の利用可能な送信時間の前且つ前の利用可能な送信時間の後にある２つのデータ・バーストである第１のデータ・バーストと第２のデータ・バーストのデータ・パケットを受信する。すなわち、下位ネットワーク・エレメントで受信された複数のデータ・パケットのタイミングは、隣り合う２つの利用可能な送信時間の間にある。
【００４０】
下位ネットワーク・エレメントは、２つのデータ・バーストにおけるデータ・パケットをバッファリングし、次の２つの処理方式によりデータ・パケットのＲＬＣ処理を行う。
【００４１】
第１の処理方式において、下位ネットワーク・エレメントは、これら２つのデータ・バーストにおける全てのデータ・パケットについてＲＬＣカスケード接続を行う。
【００４２】
第２の処理方式において、下位ネットワーク・エレメントは、それぞれのデータ・バースト内のデータ・パケットについてＲＬＣカスケード接続を行い、異なるデータ・バーストに属するデータ・パケットについてはＲＬＣカスケード接続を行わない。即ち、第１のデータ・バーストに属するデータ・パケットと、第２のデータ・バーストに属するデータ・パケットのそれぞれについてＲＬＣカスケード接続を行う。
【００４３】
下位ネットワーク・エレメントは、隣り合う２つの利用可能な送信時間のうちの後の送信時間（即ち、上述した「次の利用可能な送信時間」）から２つのデータ・バーストに含まれるサービス・データを無線インターフェースで順次送信する。また、第２の処理方式では、１つのデータ・バーストに属するＲＬＣカスケード接続されたデータ・パケットを１つのＴＴＩに送信しても良いし、複数のデータ・バーストに属するＲＬＣカスケード接続されたデータ・パケットを同一ＴＴＩに送信してもよい。
【００４４】
また、下位ネットワーク・エレメントは、次の利用可能な送信時間内に上記２つのデータ・バーストのサービス・データを送信できない場合に、後続の利用可能な送信時間にこれらデータ・バーストのサービス・データを送信し続ける。
【００４５】
（実施例２）
ＭＢＭＳサービスは、無線インターフェースにて非連続的に送信され、一定の時間間隔ごとに、利用可能な無線インターフェースの送信時間が配置されている。
【００４６】
図５は、本発明の実施例２に係る同期処理方法を示す図である。図５に示すように、下位ネットワーク・エレメントは、タイム・スタンプ情報が異なる２つのデータ・バーストにおけるデータ・パケットを受信する。ここで、第１のデータ・バーストのタイム・スタンプは、前の利用可能な送信時間内にあり、第２のデータ・バーストのタイム・スタンプは、次の利用可能な送信時間の前且つ前の利用可能な送信時間の後に、すなわち、隣り合う２つの利用可能な送信時間の間隔にある。
【００４７】
下位ネットワーク・エレメントは、２つのデータ・バーストのデータ・パケットをバッファリングし、次の２つの処理方式によりデータ・パケットのＲＬＣ処理を行う。
【００４８】
第１の処理方式において、下位ネットワーク・エレメントは、これら２つのデータ・バーストの全てのデータ・パケットについてＲＬＣカスケード接続を行う。
【００４９】
第２の処理方式において、下位ネットワーク・エレメントは、それぞれのデータ・バースト内のデータ・パケットについてＲＬＣカスケード接続を行い、異なるデータ・バーストに属するデータ・パケットについてはＲＬＣカスケード接続を行わない。即ち、第１のデータ・バーストに属するデータ・パケットと、第２のデータ・バーストに属するデータ・パケットのそれぞれについてＲＬＣカスケード接続を行う。
【００５０】
下位ネットワーク・エレメントは、隣り合う２つの利用可能な送信時間のうちの後の送信時間（即ち、上述した「次の利用可能な送信時間」）から２つのデータ・バーストに含まれるサービス・データを無線インターフェースで順次送信する。
【００５１】
また、下位ネットワーク・エレメントは、次の利用可能な送信時間内に上記２つのデータ・バーストのサービス・データを送信できない場合に、後続の利用可能な送信時間にこれらデータ・バーストのサービス・データを送信し続ける。
【００５２】
（装置実施例）
本発明の実施例によれば、上記方法実施例に係る同期処理方法を実現するための同期処理装置が提供される。
【００５３】
図６は、本発明の実施例に係る同期処理装置の構成ブロック図である。当該装置は、図６に示すように、上位ネットワーク・エレメントにより送信されるＭＢＭＳサービスの複数のデータ・バーストを受信する受信モジュール１０と、受信モジュール１０に接続可能であり、タイム・スタンプ情報が現在利用可能な送信時間の前にある場合の複数のデータ・バーストに属するデータ・パケットを、所定のネットワーク・エレメントにより上記現在利用可能な送信時間の送信開始時刻から送信する処理モジュール２０とを備える。利用可能な送信時間は、データ・パケットを送信するための期間である。
【００５４】
また、処理モジュール２０は、さらに、前の利用可能な送信時間に送信されていないデータ・バーストを現在利用可能な送信時間に送信したり、前の利用可能な送信時間に送信されていないデータ・バーストを現在利用可能な送信時間に送信しなかったりする。
【００５５】
図７は、図６に示す装置の詳細構成ブロック図である。上記処理モジュールは、図７に示すように、異なるデータ・バーストに属するデータ・パケットをタイム・スタンプ順にＲＬＣカスケード接続して送信する第１の処理モジュール２０２と、同一データ・バーストに属するデータ・パケットをそれぞれＲＬＣカスケード接続し、複数の異なるデータ・バーストに属するＲＬＣカスケード接続されたデータ・パケットを同一ＴＴＩに送信する第２の処理モジュール２０４と、同一データ・バーストに属するデータ・パケットをそれぞれＲＬＣカスケード接続し、１つのＴＴＩに、同一データ・バーストに属するＲＬＣカスケード接続されたデータ・パケットのみを送信する第３の処理モジュール２０６と、を含む。
【００５６】
本発明の実施例に係る同期処理装置によれば、タイム・スタンプ情報が現在利用可能な送信時間の前にある複数のデータ・バーストを、所定の時間に送信することで、各下位ネットワーク・エレメント間の同期を保持することができ、システムの性能が向上する。
【００５７】
上述したように、本発明の同期処理方法及び/又は装置によれば、タイム・スタンプ情報が現在利用可能な送信時間の前にある複数のデータ・バーストを、所定の時間に送信することで、各下位ネットワーク・エレメント間の同期を保持することができ、システムの性能が安定化される。これにより、上位ネットワーク・エレメントは、データ・バーストのタイム・スタンプ情報を設定する際に、無線インターフェースの配置の詳細を考慮する必要がなくなり、上位ネットワーク・エレメントにより設定されたデータ・バーストのタイム・スタンプの間隔が、無線インターフェースの利用可能な送信時間の間隔よりも短い場合にも、適切な処理が可能であり、各下位ネットワーク・エレメント間の処理の同期が保持される。
【００５８】
以上は、本発明の好適な実施例に過ぎず、本発明を限定するものではない。当業者であれば、本発明の様々な変更や変形が可能である。本発明の精神や原則を逸脱しない如何なる変更、置換、改良なども本発明の保護範囲内に含まれる。
【図１】
2012503375.tif 000003
【図２】
2012503375.tif 000004
【図３】
2012503375.tif 000005
【図４】
2012503375.tif 000006
【図５】
2012503375.tif 000007
【図６】
2012503375.tif 000008
【図７】
2012503375.tif 000009
【国際調査報告】
2012503375.tif 000010
2012503375.tif 000011
2012503375.tif 000012
2012503375.tif 000013
2012503375.tif 000014
2012503375.tif 000015